(57)【要約】【課題】根菜類を含む野菜を適切に栽培できると共に、合理的且つ手軽に設置できる根菜栽培用のシートポットユニットを提供すること。【解決手段】防水シートによって上下両端が開放された縦長の筒袋状に設けられて下端部１２を括ってすぼめることで培土１３を受ける底部が形成されるシートポット１０と、そのシートポット１０を、培土１３が充填されて上端面画開放された起立状態に、そのシートポットの上端部１１を固定して吊り下げることで支持するスタンド２０とを具備する。【選択図】図１
2012060892.tif 000002
【特許請求の範囲】
【請求項１】
防水シートによって上下両端が開放された縦長の筒袋状に設けられて下端部を括ってすぼめることで培土を受ける底部が形成されるシートポットと、
該シートポットを、培土が充填されて上端面が開放された起立状態に、該シートポットの上端部を固定して吊り下げることで支持するスタンドとを具備することを特徴とする根菜栽培用のシートポットユニット。
【請求項２】
前記シートポットの下端開口にろ過材が挿入されて介在された状態で、該下端開口をすぼめるように前記下端部を括ることによって前記底部が形成されていることを特徴とする請求項１記載の根菜栽培用のシートポットユニット。
【請求項３】
前記シートポットの上端縁部に設けた複数の鳩目孔を用いて紐で括り付けることで、該シートポットを前記スタンドに固定していることを特徴とする請求項１又は２記載の根菜栽培用のシートポットユニット。
【請求項４】
前記スタンドが、円錐台形の枠体状に設けられ、上部に前記シートポットの上端縁部が固定されるリング部が設けられていることを特徴とする請求項１〜３のいずれかに記載の根菜栽培用のシートポットユニット。
【請求項５】
前記スタンドが枠状部品によって組み立て且つ分解可能に設けられていることを特徴とする請求項４記載の根菜栽培用のシートポットユニット。
【発明の詳細な説明】
【技術分野】
【０００１】
この発明は、防水シートによって形成された植栽用のシートポットを構成要素とする根菜栽培用のシートポットユニットに関する。
【背景技術】
【０００２】
従来、野菜などの植物を育てるため、非透水性シート（防水シート）によって設けられた植栽用の容器やその容器を含むユニットとしては、防水シートを袋状に形成して使用するものが提案されている。
例えば、従来のプランターよりも取扱性に優れ且つ給水頻度を低減し得るプランターを提供するように、非透水性フィルムから形成された袋体に、栽培用土壌が充填されたプランターであって、袋体の表面側には、草花や野菜等を植える栽培孔が穿設されていると共に、袋体の裏面側には、栽培孔よりも小径の水抜孔が形成されているプランター形成材料及びプランターが開示されている。（特許文献１参照）
【先行技術文献】
【特許文献】
【０００３】
【特許文献１】特開平１０−２３８３４号公報（第１頁）
【発明の概要】
【発明が解決しようとする課題】
【０００４】
根菜栽培用のシートポットユニットに関して解決しようとする問題点は、従来の防水シートによって形成された植栽用の容器では、栽培用の土壌を十分に深く保持することができず、根菜類を適切に栽培できないことにある。
そこで、本発明の目的は、根菜類を含む野菜を適切に栽培できると共に、合理的且つ手軽に設置できる根菜栽培用のシートポットユニットを提供することにある。
【課題を解決するための手段】
【０００５】
本発明は、上記目的を達成するために次の構成を備える。
本発明にかかる根菜栽培用のシートポットユニットの一形態によれば、防水シートによって上下両端が開放された縦長の筒袋状に設けられて下端部を括ってすぼめることで培土を受ける底部が形成されるシートポットと、該シートポットを、培土が充填されて上端面が開放された起立状態に、該シートポットの上端部を固定して吊り下げることで支持するスタンドとを具備する。
【０００６】
また、本発明にかかる根菜栽培用のシートポットユニットの一形態によれば、前記シートポットの下端開口にろ過材が挿入されて介在された状態で、該下端開口をすぼめるように前記下端部を括ることによって前記底部が形成されていることを特徴とすることができる。
【０００７】
また、本発明にかかる根菜栽培用のシートポットユニットの一形態によれば、前記シートポットの上端縁部に設けた複数の鳩目孔を用いて紐で括り付けることで、該シートポットを前記スタンドに固定していることを特徴とすることができる。
【０００８】
また、本発明にかかる根菜栽培用のシートポットユニットの一形態によれば、前記スタンドが、円錐台形の枠体状に設けられ、上部に前記シートポットの上端縁部が固定されるリング部が設けられていることを特徴とすることができる。
また、本発明にかかる根菜栽培用のシートポットユニットの一形態によれば、前記スタンドが枠状部品によって組み立て且つ分解可能に設けられていることを特徴とすることができる。
【発明の効果】
【０００９】
本発明の根菜栽培用のシートポットユニットによれば、根菜類を含む野菜を適切に栽培できると共に、合理的且つ手軽に設置できるという特別有利な効果を奏する。
【図面の簡単な説明】
【００１０】
【図１】本発明に係る根菜栽培用のシートポットユニットの形態例を示す斜視図である。
【図２】本発明に係るシートポットの形態例を示す斜視図である。
【図３】図２のシートポットの使用方法を説明する断面図である。
【図４】本発明に係るスタンドの形態例を示す（ａ）平面図（ｂ）側面図である。
【図５】本発明に係るスタンドの他の形態例を示す（ａ）平面図（ｂ）側面図である。
【図６】図５のスタンドの分解状態を説明する斜視図である。
【発明を実施するための形態】
【００１１】
以下、本発明に係る根菜栽培用のシートポットユニットの形態例を、添付図面（図１〜６）に基づいて詳細に説明する。
本発明に係る根菜栽培用のシートポットユニット１０は、細長い袋状のシートポット１０と、これを起立した状態に保持するスタンド２０とを構成要素としてユニット化されているものである。
【００１２】
シートポット１０は、防水シートによって上下両端が開放された縦長の筒袋状に設けられ、下端部１２を括ってすぼめることで培土１３を受ける底部が形成されるように設けられている。
下端部１２を括る手段としては、例えば図２に示すように紐１５を回して縛るようにすればよい。１６は紐止めであり、紐１５が挿通されて保持されている。また、シートポット１０の側壁部１６には、使用済みなどの培土を容易に取り出すことができるように、下端部１２から上方へ開くファスナー１７が設けられている。
【００１３】
このシートポット１０を形成する防水シートは、例えばテントシートとすることができる。テントシートは、適度の形状復元性があって折り畳み可能で、しかも十分な強度を有し、防水性や耐候性にも優れている。このため、このテントシートを素材とする根菜栽培用のシートポットユニット１０は、成長する根菜を含めたシートポット１０の重量に対しても十分に強度があって、耐久性に優れたものになっている。
また、シート材であるため、柔軟性があり、植物の根の生育によって変形できる自由度がある。さらに、異なるシート材を使用してもよく、例えば伸縮性が高いものや、断熱性の高いものを適宜選択的に採用すればよい。
【００１４】
スタンド２０は、シートポット１０を、培土１３が充填されて上端面が開放された起立状態に、そのシートポット１０の上端部１１を固定して吊り下げることで支持する。
このスタンド２０によれば、シートポット１０の上端部１１を持って吊り下げる形状になっており、シートポット１０を、重力を受けて安定的に保持できる。また、シートポット１０は、柔軟性を有するが、スタンド２０によって折れ曲がるような力が作用しにくい吊下げ状態で好適に支持されている。
【００１５】
なお、スタンド２０は、本形態例のような一つのシートポット１０を支持するものに限定されるものではなく、複数本や多数本のシートポット１０を支持できるものであってもよい。
また、そのスタンドを、立体的且つ複数段に複数本や多数本のシートポット１０を支持できる棚状構造にして、根菜類の栽培をさらに効率よくできる形態にしてもよい。
これによれば、複数のシートポット１０を効率よく配することができ、根菜類の栽培効率を格段に向上できる。
【００１６】
この根菜栽培用のシートポットユニット１０によれば、培土１３の量を少なくすることができ、効率よく根菜を栽培することができる形態になっている。
また、軽量で、コンパクトに収納しやすい形態になっており、合理的且つ手軽に設置できるメリットがある。
さらに、このユニット１０を室内に設置して使用する場合、培土１３が空中に浮いた状態に配されるため、室温を管理することで地温（培土の温度）を管理することができ、適正な栽培を容易に行うことができる。
【００１７】
また、本形態例では、図３に示すように、シートポット１０の下端開口にろ過材３０が挿入されて介在された状態で、その下端開口をすぼめるように下端部１２を括ることによってシートポット１０の底部が形成されている。
これによれば、ろ過材３０が排水口として機能し、培土１３は流さない状態で余分な水分を適切に排水することができる。簡単な構成で適切に機能すると共に、交換が容易であり、シートポット１０を適切に再使用できる。
なお、ろ過材としては、繊維質となっているヘチマ、繊維状ステンレス材のかたまり、不織布材などの通水性のある材料を適宜選択的に採用すればよい。
【００１８】
また、本形態例では、シートポット１０の上端縁部に設けた複数の鳩目孔１１ａを用いて紐で括り付けることで、そのシートポット１０をスタンド２０に固定している。例えば、鳩目孔１１ａとスタンド２０との間で紐を編みつけるようにして、固定すればよい。これによれば、シートポット１０を吊るした状態で固定する部分について、根菜類を栽培する際の重量に対応できる強度を備えることができ、シートポット１０を何回も繰返して使用することができる。
【００１９】
また、本形態例では、スタンド２０が、円錐台形の枠体状に設けられ、上部にシートポット１０の上端縁部が固定されるリング部２１が設けられている（図４及び図５参照）。このリング部２１は、シートポット１０の上端縁部を、円形に開口した形態に保持するガイド部になっていると共に、シートポット１０の複数の鳩目孔１１ａを用いて紐で括り付けるための被固定部になっている。
このような枠体状のスタンド２０によれば、円錐台形に形成されているため、重ねて収納することができ、保管し易い形態になっている。また、簡素で安価に製造できる構成になっており、広く普及できる形態になっている。なお、このスタンド２０の基本的な構成は、図４に示すように、上下二つのリング状部品（リング部２１、下側のリング部２２）と、その二つのリング状部品の両方に固定されて起立状態になって支持する四本の柱部品２３によって構成されている。
【００２０】
また、本発明に係るスタンド２０は、枠状部品２５によって組み立て且つ分解可能に設けられていてもよい。図５及び図６に示す形態例では、円周方向に４分割できる構造になっており、蝶ナット２６などで組み付けることができる構成になっている。これによれば、不使用時や搬送する際にコンパクトに収容できるメリットがある。
なお、スタンド２０は、別の組み立て構造とすることができるのは勿論であり、例えば、枠状部品の最低限の構成として、上下二つのリング状部品と、その二つのリング状部品の両方に固定されて起立状態になって支持する三本の柱部品とを備え、組み立て且つ分解可能に構成すればよい。
【００２１】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２２】
１０  シートポット
１１  上端部
１１ａ  鳩目孔
１２  下端部
１３  培土
１４  紐止め
１５  紐
１６  側壁部
１７  ファスナー
２０  スタンド
２１  リング部
２２  下側のリング部
２３  柱部品
２５  枠状部品
３０  ろ過材
【図１】
2012060892.tif 000003
【図２】
2012060892.tif 000004
【図３】
2012060892.tif 000005
【図４】
2012060892.tif 000006
【図５】
2012060892.tif 000007
【図６】
2012060892.tif 000008